(57)【要約】【課題】基材における小根太幅方向両側領域の配管用凹溝を連通させる部位の破損を抑制し得る床暖房パネルを提供する。【解決手段】床暖房パネル１は、熱媒体管１８が配設される配管用凹溝１１を上面側に設けた発泡樹脂系の基材１０を、一方側領域１２と他方側領域１３とに分断するように長尺な小根太１５を設けた構成とされており、前記小根太には、前記一方側領域側の配管用凹溝と前記他方側領域側の配管用凹溝とを連通させるように配管用凹溝を設けた前記基材の連通部１４が嵌め込まれる切欠状の凹所１６が設けられている。【選択図】図１
2015152200.tif 000002
【特許請求の範囲】
【請求項１】
熱媒体管が配設される配管用凹溝を上面側に設けた発泡樹脂系の基材を、一方側領域と他方側領域とに分断するように長尺な小根太を設けた構成とされており、
前記小根太には、前記一方側領域側の配管用凹溝と前記他方側領域側の配管用凹溝とを連通させるように配管用凹溝を設けた前記基材の連通部が嵌め込まれる切欠状の凹所が設けられていることを特徴とする床暖房パネル。
【請求項２】
請求項１において、
前記凹所及び前記連通部を、前記小根太の長手方向に沿って間隔を空けて複数箇所に設けていることを特徴とする床暖房パネル。
【請求項３】
請求項１または２において、
前記凹所及び前記連通部を、前記小根太の長手方向一端側に位置するように設けていることを特徴とする床暖房パネル。
【発明の詳細な説明】
【技術分野】
【０００１】
本発明は、発泡樹脂系の基材を備えた床暖房パネルに関する。
【背景技術】
【０００２】
従来より、熱媒体管が配設される配管用凹溝を上面側に設けた発泡樹脂系の基材を備えた床暖房パネルが知られている。
例えば、下記特許文献１では、発泡樹脂材等から形成された基材の上面側に、熱媒体管が配設される配管用凹溝を設け、床仕上材を固定するための小根太を適所に設けた床暖房パネルが提案されている。また、小根太によって配管用凹溝が分断されないように小根太を長手方向に分割し、小根太間の基材に小根太幅方向両側領域の配管用凹溝を連通させるように配管用凹溝を設けた構成とされている。
【先行技術文献】
【特許文献】
【０００３】
【特許文献１】特開２０１３−１４５０７０号公報
【発明の概要】
【発明が解決しようとする課題】
【０００４】
しかしながら、上記特許文献１に記載された床暖房パネルでは、基材が発泡樹脂材等から形成されているため、持ち運び等の際に、該基材における分割された小根太間に位置する部位が破損し易くなることが考えられ、更なる改善が望まれる。
【０００５】
本発明は、上記実情に鑑みてなされたものであり、基材における小根太幅方向両側領域の配管用凹溝を連通させる部位の破損を抑制し得る床暖房パネルを提供することを目的としている。
【課題を解決するための手段】
【０００６】
上記目的を達成するために、本発明に係る床暖房パネルは、熱媒体管が配設される配管用凹溝を上面側に設けた発泡樹脂系の基材を、一方側領域と他方側領域とに分断するように長尺な小根太を設けた構成とされており、前記小根太には、前記一方側領域側の配管用凹溝と前記他方側領域側の配管用凹溝とを連通させるように配管用凹溝を設けた前記基材の連通部が嵌め込まれる切欠状の凹所が設けられていることを特徴とする。
【０００７】
本発明においては、前記凹所及び前記連通部を、前記小根太の長手方向に沿って間隔を空けて複数箇所に設けてもよい。
また、本発明においては、前記凹所及び前記連通部を、前記小根太の長手方向一端側に位置するように設けてもよい。
【発明の効果】
【０００８】
本発明に係る床暖房パネルは、上述のような構成としたことで、基材における小根太幅方向両側領域の配管用凹溝を連通させる部位の破損を抑制することができる。
【図面の簡単な説明】
【０００９】
【図１】（ａ）〜（ｃ）は、本発明の一実施形態に係る床暖房パネルの一例を模式的に示し、（ａ）は、図３におけるＸ１部に対応させた一部破断概略平面図、（ｂ）は、（ａ）におけるＹ１−Ｙ１線矢視に対応させた一部破断概略縦断面図、（ｃ）は、（ｂ）に対応させた一部を省略した一部破断概略分解縦断面図である。
【図２】（ａ）は、図３におけるＸ２部に対応させた一部破断概略平面図、（ｂ）は、（ａ）におけるＹ２−Ｙ２線矢視に対応させた一部破断概略縦断面図、（ｃ）は、（ｂ）に対応させた一部を省略した一部破断概略分解縦断面図である。
【図３】同床暖房パネルの一例を模式的に示す一部省略概略平面図である。
【図４】（ａ）、（ｂ）は、本発明の他の実施形態に係る床暖房パネルの一例を模式的に示し、（ａ）は、図２（ａ）に対応させた一部破断概略平面図、（ｂ）は、（ａ）におけるＹ３−Ｙ３線矢視に対応させた一部破断概略縦断面図である。
【発明を実施するための形態】
【００１０】
以下に本発明の実施の形態について、図面に基づいて説明する。
図１〜図３は、第１実施形態に係る床暖房パネルの一例を模式的に示す図である。
なお、一部の図では、他図に付している詳細な符号の一部を省略している。
また、図１（ａ）、（ｃ）、図２（ａ）、（ｃ）、図３及び図４（ａ）では、熱媒体管及び均熱シートの図示を省略している。
また、以下の各実施形態では、小根太の長手方向と同方向となる床暖房パネル（基材）の一方向を、便宜的に床暖房パネル（基材）の長手方向として説明するが、同方向を床暖房パネル（基材）の幅方向としてもよい。
【００１１】
本実施形態に係る床暖房パネル１は、図３に示すように、熱媒体管１８（図１（ｂ）及び図２（ｂ）参照）が配設される配管用凹溝１１を上面側に設けた発泡樹脂系の基材１０を備えている。また、床暖房パネル１は、この基材１０を、一方側領域１２と他方側領域１３とに分断するように長尺な小根太１５，１５Ａを設けた構成とされている。また、床暖房パネル１は、小根太１５，１５Ａに、一方側領域１２側の配管用凹溝１１と他方側領域１３側の配管用凹溝１１とを連通させるように配管用凹溝１１を設けた基材１０の連通部１４，１４Ａ，１４Ｂが嵌め込まれる切欠状の凹所１６，１６Ａ，１６Ｂを設けた構成とされている。
【００１２】
この床暖房パネル１は、略矩形平板状とされ、床下地上に設置され、その上面側が床仕上材（床材）によって覆われる構成とされている。また、床暖房パネル１は、縦横に隣接させるように複数枚が床下地上に設置されるものとしてもよい。
この床暖房パネル１は、後記する小根太１５，１５Ａ部分をねじや釘等の止具の止着箇所として床根太や捨て張り合板、コンクリート下地等の床下地に固定されるものとしてもよい。また、小根太１５，１５Ａの長手方向と長手方向を略直交させて配された床材の止着部位を、止具によって小根太１５，１５Ａ部分に止着し、床材を床暖房パネル１に対して固定するようにしてもよい。
【００１３】
また、この床暖房パネル１の幅寸法及び長さ寸法は、搬送時や施工時等における取扱性の観点等から適宜、設定するようにしてもよい。例えば、床暖房パネル１の幅寸法及び長さ寸法を、一尺（３０３ｍｍ）〜一丈（３０３０ｍｍ）程度としてもよい。
また、床暖房パネル１の厚さ寸法は、熱媒体管１８の配設が可能で、当該床暖房パネル１の強度を向上させる観点等から適宜、設定するようにしてもよい。例えば、床暖房パネル１の厚さ寸法を、１０ｍｍ〜３０ｍｍ程度としてもよい。
【００１４】
熱媒体管１８は、中空の管状体とされ、図例では、この熱媒体管１８を、断面視して円管状とした例を示している。この熱媒体管１８は、基材１０の配管用凹溝１１の経路パターンに合わせて配管用凹溝１１内に配設し易いように可撓性を有したものとされている。この熱媒体管１８としては、耐腐食性及び耐熱性を有した材料で形成するようにしてもよく、例えば、架橋ポリエチレン等の樹脂材等で形成されたパイプやチューブ等としてもよい。また、熱媒体管１８に流通させる熱媒体としては、例えば、液体、気体、蒸気等としてもよい。
また、熱媒体管１８の外周面を下方側から覆うような形状とされた伝熱部材を配管用凹溝１１に設けるようにしてもよい。
【００１５】
また、床暖房パネル１は、図１（ｂ）及び図２（ｂ）に示すように、基材１０の上面側を覆う均熱シート１９を備えている。この均熱シート１９は、基材１０の上面を略全面に亘って覆うように設けられている。この均熱シート１９は、薄いシート状（フィルム状）とされ、熱伝導率の高い材料で形成されており、例えば、アルミニウム等の金属材料で形成されたものとしてもよい。
なお、均熱シート１９の上面に、止具の止着可能範囲（後記する小根太１５，１５Ａの凹所１６，１６Ａ，１６Ｂ部位を除いた基材１０の上面において露出する部位）を示すマーカー等の目印を設けるようにしてもよい。
【００１６】
基材１０は、略矩形平板状とされ、断熱性を有する材料で形成されており、例えば、発泡ポリプロピレン、発泡ポリスチレン等の発泡樹脂材等から形成されている。
また、この基材１０の幅方向一方側端部の適所（図例では、一隅部）に、熱媒体管１８の接続部を収容する収容凹所を設けた構成としている。この収容凹所に臨むように、送媒側の熱媒体管１８及び返媒側の熱媒体管１８が配設される配管用凹溝１１，１１を設けた構成としている。
配管用凹溝１１は、上方側（基材１０の厚さ方向一方側）に向けて開口するように基材１０の上面側に設けられている。この配管用凹溝１１は、図１（ｂ）、（ｃ）及び図２（ｂ）、（ｃ）に示すように、溝長手方向に見て、略Ｕ字状とされている。この配管用凹溝１１の溝幅や溝深さは、収容された熱媒体管１８の上端が均熱シート１９に近接または当接するように適宜、設定するようにしてもよい。
【００１７】
また、配管用凹溝１１は、均熱性を向上させる観点等から、基材１０の上面の概ね全域に亘って、蛇行するように設けられている。図例では、配管用凹溝１１に配設される熱媒体管１８を、基材１０の幅方向一方側端部（の隅部）と基材１０の幅方向他方側端部とを蛇行しながら２往復させるように配管用凹溝１１を設けた構成としている。なお、基材１０の上面側に設けられる配管用凹溝１１の経路パターンとしては、このような態様に限られず、１往復させるように設けたり、または、３往復以上させるように設けたりしてもよい。また、基材１０の幅方向他方側端部において折り返されるように戻るような経路パターンに限られず、基材１０の幅方向他方側端部の適所にも、熱媒体管１８の接続部を収容する収容凹所を設けるようにしてもよい。この基材１０の上面側に設けられる配管用凹溝１１の経路パターンとしては、その他、種々の経路パターンとしてもよい。
【００１８】
小根太１５，１５Ａは、図３に示すように、基材１０の一方向（長手方向）に長尺な略帯板状とされている。また、小根太１５，１５Ａは、止具の止着が可能なように、例えば、合板やＬＶＬ等の木質積層板、パーティクルボード等の木質ボード、ＭＤＦ（中密度繊維板）等の木質繊維板などの木質系材料から形成されたものとしてもよい。
また、本実施形態では、小根太１５，１５Ａの長さ寸法を、基材１０の長さ寸法と略同
寸法としている。つまり、小根太１５，１５Ａの長手方向両端が基材１０の長手方向両端において露出する構成とされている。
また、小根太１５，１５Ａの厚さ寸法（後記する凹所１６，１６Ａ，１６Ｂが設けられた部位を除いた部位の厚さ寸法）は、基材１０の厚さ寸法と略同寸法とされている。つまり、小根太１５，１５Ａの厚さ方向両面が基材１０の厚さ方向両面において露出する構成とされている。
なお、小根太１５，１５Ａの幅寸法は、止具の止着が可能なように適宜の幅寸法としてもよい。
【００１９】
また、本実施形態では、基材１０の他方向となる幅方向に間隔を空けて複数（奇数、図例では、５つ）の小根太１５，１５Ａを設けた構成としている。
また、本実施形態では、基材１０を幅方向に略等分（図例では、６等分）するように、これら複数の小根太１５，１５Ａを設けた構成としている。つまり、図例では、５つの小根太１５，１５Ａを、基材１０を幅方向に６つの領域１２Ａ，１３，１２，１３，１２，１３Ａに分断するように略等間隔を空けて設けた構成としている。
また、本実施形態では、２種類の小根太１５，１５Ａを設けた構成としており、これらを基材１０の幅方向に交互に設けた構成としている。本実施形態では、単一の凹所１６を設けた第１小根太１５と、複数の凹所１６Ａ，１６Ｂを設けた第２小根太１５Ａと、を設けた構成としている。また、基材１０の幅方向略中央部位に第１小根太１５を設け、その幅方向両側に第２小根太１５Ａ，１５Ａをそれぞれに設け、これら第２小根太１５Ａ，１５Ａの基材幅方向外方側のそれぞれに第１小根太１５，１５を設けた構成としている。
【００２０】
また、本実施形態では、凹所１６，１６Ａ，１６Ｂ及び連通部１４，１４Ａ，１４Ｂを、小根太１５，１５Ａの長手方向一端側に位置するように設けている。本実施形態では、複数の小根太１５，１５Ａのそれぞれの長手方向一端側となる、基材１０の長手方向一端側に片寄らせるように、凹所１６，１６Ａ，１６Ｂ及び連通部１４，１４Ａ，１４Ｂを設けた構成としている。
また、本実施形態では、幅方向に隣り合う小根太１５，１５Ａ同士の凹所１６，１６Ａ，１６Ｂ及び連通部１４，１４Ａ，１４Ｂを、幅方向に見て互いに重なり合わないように設けた構成としている。
【００２１】
第１小根太１５は、図１及び図３に示すように、長手方向途中部位に、凹所１６を設けた構成とされている。
この第１小根太１５の凹所１６は、図１に示すように、上方に向けて開口し、第１小根太１５の全幅に亘って設けられている。つまり、凹所１６は、上方及び小根太幅方向両側に開口するように設けられている。また、この凹所１６は、小根太幅方向に見て略矩形溝状とされている。
この凹所１６の深さ寸法（小根太厚さ方向に沿う寸法）、つまりは、凹所１６の底側を区画する底板状部１７の厚さ寸法は、強度上の観点や、配管用凹溝１１が設けられた連通部１４の厚さ寸法に応じて適宜、設定するようにしてもよい。図例では、底板状部１７の厚さ寸法を、当該部位以外の部位の第１小根太１５の厚さ寸法の１／３程度の厚さ寸法とした例を示している。
【００２２】
また、この第１小根太１５の凹所１６の小根太長手方向に沿う寸法は、強度上の観点や、この凹所１６に嵌め込まれる連通部１４の同方向に沿う寸法等に応じて適宜、設定するようにしてもよい。図例では、この凹所１６を、上記のような経路パターンとされて基材１０を幅方向に２往復し、各小根太１５，１５Ａを跨ぐように設けられることとなる４本の配管用凹溝１１のうちの４本が設けられた第１連通部１４が嵌め込まれる構成としている。つまり、第１小根太１５の幅方向一方側領域１２，１２Ａ側の配管用凹溝１１と第１小根太１５の幅方向他方側領域１３，１３Ａ側の配管用凹溝１１とを連通させるように複数本（４本）の配管用凹溝１１を設けた第１連通部１４を、第１小根太１５の長手方向途中部位の一箇所に設けた構成としている。
【００２３】
この第１小根太１５の凹所１６に嵌め込まれる基材１０の第１連通部１４は、凹所１６の底面となる底板状部１７の上面及び凹所１６の対向する両内壁面（小根太長手方向に向く面）に当接または近接するように、凹所１６に応じた形状とされている。この第１連通部１４は、裏面側に底板状部１７の受入空間が形成されるように基材１０の他の部位よりも薄く形成されている。また、基材１０には、第１小根太１５を嵌め込むように受け入れ可能なように、厚さ方向に貫通し、長手方向両端において開口する受入空間が設けられている。つまりは、第１小根太１５の幅方向両側領域１２，１２Ａ，１３，１３Ａは、第１連通部１４を介して連結されたような構成とされている。
【００２４】
第２小根太１５Ａは、図２及び図３に示すように、長手方向に沿って間隔を空けて複数箇所に凹所１６Ａ，１６Ｂを設けた構成とされている。本実施形態では、第２小根太１５Ａの長手方向途中部位の一箇所と長手方向一端部とに凹所１６Ａ，１６Ｂを設けた構成としている。上記した第１小根太１５の凹所１６は、幅方向に見て、この第２小根太１５Ａの長手方向途中部位に設けられた凹所１６Ａと長手方向一端部に設けられた端凹所１６Ｂとの間に位置するように設けられている。
この第２小根太１５Ａの長手方向途中部位に設けられた凹所１６Ａは、上記した第１小根太１５の凹所１６と概ね同様の構成とされ、底側が底板状部１７Ａによって区画されている。
端凹所１６Ｂは、長手方向外方側にも開口するように設けられている。つまり、この端凹所１６Ｂの底側を区画する底板状部１７Ｂの小根太長手方向一端面が基材１０の長手方向一端面と略同一平面状となる構成とされている。
【００２５】
また、これら凹所１６Ａ及び端凹所１６Ｂを、上記のように各小根太１５，１５Ａを跨ぐように設けられることとなる４本の配管用凹溝１１のうちの一部がそれぞれに設けられた第２連通部１４Ａ及び第３連通部１４Ｂがそれぞれに嵌め込まれる構成としている。つまり、第２小根太１５Ａの幅方向一方側領域１３側の配管用凹溝１１と第２小根太１５Ａの幅方向他方側領域１２側の配管用凹溝１１とを連通させる配管用凹溝１１をそれぞれに分散させて設けた複数の連通部（第２連通部１４Ａ及び第３連通部１４Ｂ）を、第２小根太１５Ａの長手方向に沿って間隔を空けて複数箇所（二箇所）に設けた構成としている。図例では、第２連通部１４Ａ及び第３連通部１４Ｂのそれぞれに２本の配管用凹溝１１を設けた構成としているが、互いに異なる本数の配管用凹溝１１を設けた構成としてもよい。
【００２６】
この第２小根太１５Ａの長手方向途中部位の凹所１６Ａに嵌め込まれる基材１０の第２連通部１４Ａは、上記同様、凹所１６Ａの底面となる底板状部１７Ａの上面及び凹所１６Ａの対向する両内壁面（小根太長手方向に向く面）に当接または近接するように、凹所１６Ａに応じた形状とされている。
また、第２小根太１５Ａの端凹所１６Ｂに嵌め込まれる基材１０の第３連通部１４Ｂは、端凹所１６Ｂの底面となる底板状部１７Ｂの上面及び端凹所１６Ｂの壁面（長手方向外側に向く面）に当接または近接するように、端凹所１６Ｂに応じた形状とされている。この第３連通部１４Ｂの基材長手方向一端側面は、基材１０の長手方向一端面を構成している。
【００２７】
これら第２連通部１４Ａ及び第３連通部１４Ｂは、上記同様、裏面側に各底板状部１７Ａ，１７Ｂの受入空間が形成されるように基材１０の他の部位よりも薄く形成されている。また、基材１０には、第２小根太１５Ａを嵌め込むように受け入れ可能なように、厚さ方向に貫通し、長手方向他端において開口する受入空間が設けられている。つまりは、第２小根太１５Ａの幅方向両側領域１３，１２は、第２連通部１４Ａ及び第３連通部１４Ｂを介して連結されたような構成とされている。
なお、床暖房パネル１を構成する基材１０は、一枚からなるものに限られず、複数部分に分割されたものが接合されて構成されたものとしてもよい。
【００２８】
本実施形態に係る床暖房パネル１は、上述のような構成としたことで、基材１０における小根太幅方向両側領域１２，１２Ａ，１３，１３Ａの配管用凹溝１１を連通させる部位となる連通部１４，１４Ａ，１４Ｂの破損を抑制することができる。
つまり、熱媒体管１８が配設される配管用凹溝１１を上面側に設けた発泡樹脂系の基材１０を、一方側領域１２，１２Ａ（１３）と他方側領域１３，１３Ａ（１２）とに分断するように長尺な小根太１５（１５Ａ）を設けた構成としている。従って、基材１０を発泡樹脂系として暖房効率向上が可能でありながらも、床暖房パネル１や床仕上材を固定する釘やねじ等の止具を小根太１５，１５Ａに止着することができる。
また、小根太１５，１５Ａに、基材１０の連通部１４，１４Ａ，１４Ｂが嵌め込まれる切欠状の凹所１６，１６Ａ，１６Ｂを設けている。従って、基材の連通部１４，１４Ａ，１４Ｂを、その裏面側の小根太１５，１５Ａの凹所１６，１６Ａ，１６Ｂの底部となる底板状部１７，１７Ａ，１７Ｂによって補強することができる。これにより、持ち運び等の際における連通部１４，１４Ａ，１４Ｂの破損等を抑制することができる。また、この連通部１４，１４Ａ，１４Ｂの配管用凹溝１１を介して基材１０の概ね全域に亘って熱媒体管１８を配設することができる。また、小根太を長手方向に分割して配設したものと比べて、部材点数を削減することができ、組付性を向上させることができる。
【００２９】
また、本実施形態では、凹所１６Ａ，１６Ｂ及び連通部１４Ａ，１４Ｂを、第２小根太１５Ａの長手方向に沿って間隔を空けて複数箇所に設けた構成としている。従って、第２小根太１５Ａを横断する配管用凹溝１１が複数である場合に、上述のように、各連通部１４Ａ，１４Ｂに分散させて設けることができる。これにより、例えば、第１小根太１５のように単一の凹所１６を設け基材１０にこの凹所１６に嵌め込まれる連通部１４を設けた構成とした場合と比べて、各連通部１４Ａ，１４Ｂの配管用凹溝１１，１１のそれぞれに熱媒体管１８，１８を分散させて配設することができ、当該部位における温度ムラを抑制することができる。
なお、本実施形態では、第２小根太１５Ａの長手方向に沿って間隔を空けて二箇所に凹所１６Ａ，１６Ｂ及び連通部１４Ａ，１４Ｂを設けた構成としているが、これらを三箇所以上設けるようにしてもよい。
【００３０】
また、本実施形態では、凹所１６，１６Ａ，１６Ｂ及び連通部１４，１４Ａ，１４Ｂを、小根太１５，１５Ａの長手方向一端側に位置するように設けている。従って、例えば、凹所１６，１６Ａ，１６Ｂを小根太１５，１５Ａの長手方向中央部位等に設けたものと比べて、持ち運び等の際における小根太１５，１５Ａの凹所１６，１６Ａ，１６Ｂの底部となる底板状部１７，１７Ａ，１７Ｂの破損等を抑制することができる。また、上述のように複数の小根太１５，１５Ａを設けたり、複数の床暖房パネル１を並べて施工する場合に、止具の止着が不可となる部位となる連通部１４，１４Ａ，１４Ｂを、床暖房パネル１の一方の側端部側に片寄らせて位置させることができる。これにより、床暖房パネル１及び床仕上材の割り付けの際等に、床仕上材の幅方向側端部の止具の止着箇所を連通部１４，１４Ａ，１４Ｂに位置させないように回避させ易くするようなこともできる。なお、このような態様に代えて、例えば、凹所１６，１６Ａ，１６Ｂ及び連通部１４，１４Ａ，１４Ｂを、小根太１５，１５Ａの長手方向両端側に位置するように設けたり、長手方向中央部位等に設けたりしてもよい。
【００３１】
また、本実施形態では、幅方向に隣り合う小根太１５，１５Ａ同士の凹所１６，１６Ａ，１６Ｂ及び連通部１４，１４Ａ，１４Ｂを、幅方向に見て互いに重なり合わないように設けた構成としている。従って、複数本の小根太１５，１５Ａを跨ぐように、小根太長手方向に長手方向を略直交させて配設される床仕上材の幅方向側端部の止具の止着箇所がいずれかの連通部１４，１４Ａ，１４Ｂ上に位置するような場合にも、それに隣り合う小根太１５，１５Ａに止具を止着することができる。なお、このような態様に代えて、幅方向に隣り合う小根太１５，１５Ａ同士の凹所１６，１６Ａ，１６Ｂ及び連通部１４，１４Ａ，１４Ｂを、幅方向に見て互いに重なり合うように設けた態様としてもよい。
また、本実施形態では、床暖房パネル１に、異なる２種類の小根太１５，１５Ａを設けた例を示しているが、これらのうちの一方の小根太を設けた態様としてもよい。また、複数の小根太を設けた態様に限られず、単一の小根太を設けた態様としてもよい。
【００３２】
次に、本発明に係る他の実施形態について、図面を参照しながら説明する。
図４は、第２実施形態に係る床暖房パネルの一例を模式的に示す図である。
なお、上記第１実施形態との相違点について主に説明し、同様の構成については、同一符号を付し、その説明を省略または簡略に説明する。
【００３３】
本実施形態に係る床暖房パネル１Ａは、上記した第２小根太１５Ａに代えて、第３小根太１５Ｂを設けた構成としている点が上記第１実施形態とは主に異なる。
本実施形態では、第３小根太１５Ｂを、基材１０Ａの一方向の全体に亘って設けていない例を示している。つまり、第３小根太１５Ｂの長さ寸法を、基材１０Ａの一方向寸法（長さ寸法）よりも短い寸法とし、基材１０Ａにおける第３小根太１５Ｂの長手方向一端側に、第３小根太１５Ｂを迂回するように迂回部１４Ｃを設けた構成としている。
この迂回部１４Ｃは、上記した第３連通部１４Ｂとは異なり、基材１０Ａの他の部位と一連状に同厚さで設けられている。また、この迂回部１４Ｃには、基材１０Ａを幅方向に２往復し、第３小根太１５Ｂの幅方向両側領域１３，１２側の配管用凹溝１１を連通するように設けられることとなる４本の配管用凹溝１１のうちの一部（図例では、２本）の配管用凹溝が第３小根太１５Ｂの長手方向一端側を迂回するように設けられている。この迂回部１４Ｃの基材長手方向他方側に向く面に、第３小根太１５Ｂの長手方向一端面が当接または近接される。
【００３４】
上記構成とされた本実施形態に係る床暖房パネル１Ａにおいても、上記した第１実施形態と概ね同様の効果を奏する。
つまり、第３小根太１５Ｂの長手方向途中部位に設けられた凹所１６Ａの底部となる底板状部１７Ａによって第２連通部１４Ａを補強することができる。また、第３小根太１５Ｂの長手方向一端側には、小根太の存在しない迂回部１４Ｃが設けられるが、長手方向途中部位と比べて端部は破損し難くなるためこのようなものでもよい。つまりは、小根太１５，１５Ａ，１５Ｂの長手方向の少なくとも一箇所に凹所１６，１６Ａ，１６Ｂを設け、これに嵌め込まれる連通部１４，１４Ａ，１４Ｂを基材１０，１０Ａに設けた構成とすればよい。
【符号の説明】
【００３５】
１，１Ａ      床暖房パネル
１０，１０Ａ  基材
１１          配管用凹溝
１２，１２Ａ  一方側領域（または他方側領域）
１３，１３Ａ  他方側領域（または一方側領域）
１４          第１連通部
１４Ａ        第２連通部
１４Ｂ        第３連通部
１５          第１小根太
１５Ａ        第２小根太
１５Ｂ        第３小根太
１６，１６Ａ  凹所
１６Ｂ        端凹所
１８          熱媒体管
【図１】
2015152200.tif 000003
【図２】
2015152200.tif 000004
【図３】
2015152200.tif 000005
【図４】
2015152200.tif 000006